(57)【要約】【課題】  一枚で作成することができ、サイズの調整が可能であり、脱着が非常に簡単で、ペットの運動によってもはずれることがないペット用の服の型紙、及びその型紙を用いて作成したペット用の服を提供する。【解決手段】  型紙を用いて布地を裁断し、ペット用の服を作成する。この型紙の形状は袖の部分を帯状にしているため、前足をくぐらせて背中に固定することができる。これにより、脱着が簡単になり、サイズ調整も可能となる。また、型紙が一枚で簡単な構造であり使用する生地も少なくて済むため、容易に増産ができ、安価で提供する事が可能である。【選択図】  図６
2005048341.tif 000002
【特許請求の範囲】
【請求項１】
一枚で作成することができ、サイズの調整が可能であり、脱着が非常に簡単で、ペットの運動によってもはずれることがない、ペット用の服の型紙。形状１。
【請求項２】
請求項１記載の型紙を使用して布地を裁断し作成するペット用の服。
【請求項３】
一枚で作成することができ、サイズの調整が可能であり、脱着が非常に簡単で、ペットの運動によってもはずれることがない、ペット用の服の型紙。形状２。
【請求項４】
請求項３記載の型紙を使用して布地を裁断し作成するペット用の服。
【発明の詳細な説明】
【技術分野】
【０００１】
本発明は、一枚で作成することができ、サイズの調整が可能であり、脱着が非常に簡単で、ペットの運動によってもはずれることがない、ペット用の服の型紙、及びその型紙どおりに裁断した布地で作成するペット用の服に関するものである。
【背景技術】
【０００２】
近年、飼主がペットに着せる服が一般化していている。もともとペットのファッションという意味合いが強いが、短毛のペットには防寒対策として必要不可欠であったり、ペットが汚れるのを防ぐという実用的な一面もあり、益々需要は増えている。
【０００３】
従来のペット用の服は、複雑な構造となっており、作成に手間と費用がかかっていた。また、サイズの調整ができず、ペットの成長と共に頻繁に買い換えなければならないという欠点があった。
【０００４】
従来のペット用の服は、ペットを抱えたり押さえつけたりして脱着するものが殆んどであり、ペットは生き物であるため脱着に手間取ると服を嫌がり、また、飼主にとっても作業効率の悪い大変な作業となりがちであった。ペットを立たせたまま脱着させることのできる簡易なタイプの服もあったが、服を胴体にしっかりと固定することができず、ペットの運動に伴いはずれてしまっていた。
【０００５】
また、従来のペット用の服では、散歩の後などでペットの体が汚れていた場合、服を脱がせるのに手間取り、飼主が汚れをあびてしまうのはもちろん、部屋中に汚れが飛び散ってしまうという欠点があった。
【０００６】
これらの改善策として、一枚でペットの服を作成することができる型紙を発明した。また、この型紙を使用して布を裁断し、ペットを立たせたままで簡単に脱着ができ、サイズの調節が可能で、ペットの胴体にしっかりと固定される犬の服を発明した。
【特許文献１】特許公開２００２−０２７８５８
【特許文献２】特許公開２００１−２９９１２５
【特許文献３】特許公開２００２−２７２３００
【発明の開示】
【発明が解決しようとする課題】
【０００７】
解決しようとする問題点は、ペット用の服において、作成に手間と時間がかかる原因となっている複雑な構造を解消すること、及びペット用の服の脱着を簡単にしてペットにかかる負担を軽減すると共に飼主の作業効率を上げること、ペットの成長に伴い頻繁に服を買い換えずに済むようにサイズの調節を可能とすること、装着を簡単にしたことにより生ずるペットの運動によってはずれてしまうという欠点を解消することである。
【課題を解決するための手段】
【０００８】
本発明は、従来、何枚もの型紙を使用して作成していたペット用の服を一枚の型紙で作成可能とした。また、袖の部分を帯状にし前足をくぐらせて背中に固定することにより、脱着が簡単になり、かつ、ペットの運動によってはずれることを防止できる。背中で固定する位置を変えることにより、サイズ調節も可能である。
【発明の効果】
【０００９】
本発明の型紙であれば、一枚でペット用の服を作成することができる。これによって、作成に手間と時間がかかるという従来品の欠点を解消することができる。また、ペットを立たせたままで脱着が可能であるので、飼主の作業効率が非常に良くなるうえ、ペットに無理な姿勢をとらせるこがないので、服を脱がせる際にペットがあばれて飼主や部屋に汚れが飛び散るということもなくなる。帯状という形態であるため、サイズ調節も可能である。これにより、ペットの成長に伴い頻繁に買い換える必要もなくなる。前足にくぐらせて背中で固定しているため、ペットが激しく運動してもはずれることがない。
【発明を実施するための最良の形態】
【００１０】
従来のペット用の服は高価なものが多いが、本発明は型紙が一枚で簡単な構造であり使用する生地も少なくて済むため、容易に増産ができ、安価で提供する事が可能である。飼主にとっては、サイズ調整ができるため頻繁に買い換える必要もなくなるうえ、装着も簡単でペットの運動ではずれることもなくなるという利点がある。負担をかけずに装着できるため、ペットと飼主の良好な信頼関係にとっても有効である。
【実施例１】
【００１１】
図１は、本発明１の型紙の形状を示す平面図である。
【実施例２】
【００１２】
図２は、本発明２のペット用の服の一例を示す平面図である。本発明１の型紙を用いて布地を裁断し、記号アとイにはボタンなどの留め金、AとBにはマジックテープ（登録商標）を取り付ける。
【００１３】
図３  図４  図５ 図６は、本発明２の装着手順の一例を示したものである。本発明２をペットの背中にかぶせ（図３）、記号アとイの留め金をペットの胸の所で留めあわせ（図４）、前足をくぐらせたあと（図５）、背中で記号AとBのマジックテープ（登録商標）を留めあわせて固定する（図６）。
【実施例３】
【００１４】
図７は、本発明３の型紙の形状を示す平面図である。
【実施例４】
【００１５】
図８は、本発明４のペット用の服の一例を示す平面図である。本発明３の型紙を用いて布地を裁断し、記号AとBにマジックテープ（登録商標）を取り付ける。
【００１６】
図９  図１０  図１１  図１２  図１３は、本発明４の装着手順を図解したものである。本発明４をペットの背中にかぶせ（図９）、マジックテープ（登録商標）をとりつけた先端をペットの胸のところで交差させて前足をくぐらせたあと（図１０  図１１  図１２）、背中で記号AとBのマジックテープ（登録商標）を留めあわせて固定する（図１３）。
【産業上の利用可能性】
【００１７】
型紙が一枚で簡単な構造であり使用する生地も少なくて済むため、容易に増産が可能で安価で提供する事が可能である。また、記号AとBに取り付けられたマジックテープ（登録商標）を重ね合わせる位置を調節することにより、固体に合わせて調節が可能であるため、例えば大中小など最低限の大きさを用意すれば、様々なサイズのペットに対応させることができる。応用として、マジックテープ（登録商標）などを使用せず、背中での固定方法をリボン結びなにすれば、ファッション性も加えることが可能である。
【図面の簡単な説明】
【００１８】
【図１】本発明１のペット用の服の型紙の形状を示す平面図である。（実施例１）
【図２】本発明２のペット用の服の一例を示す平面図である。（実施例２）
【図３】本発明２の装着手順の一例の１を図解したものである。（実施例２）
【図４】本発明２の装着手順の一例の２を図解したものである。（実施例２）
【図５】本発明２の装着手順の一例の３を図解したものである。（実施例２）
【図６】本発明２の装着手順の一例の４を図解したものである。（実施例２）
【図７】本発明３のペット用の服の型紙の形状を示す平面図である。（実施例３）
【図８】本発明４のペット用の服の一例を示す平面図である。（実施例４）
【図９】本発明４の装着手順の一例の１を図解したものである。（実施例４）
【図１０】本発明４の装着手順の一例の２を図解したものである。（実施例４）
【図１１】本発明４の装着手順の一例の３を図解したものである。（実施例４）
【図１２】本発明４の装着手順の一例の４を図解したものである。（実施例４）
【図１３】本発明４の装着手順の一例の５を図解したものである。（実施例４）
【符号の説明】
【００１９】
ア  イ  胸の位置で留めあわせるボタンなどの留め金の位置
A   B  背中の位置で留めあわせるマジックテープ（登録商標）の位置
【図１】
2005048341.tif 000003
【図２】
2005048341.tif 000004
【図３】
2005048341.tif 000005
【図４】
2005048341.tif 000006
【図５】
2005048341.tif 000007
【図６】
2005048341.tif 000008
【図７】
2005048341.tif 000009
【図８】
2005048341.tif 000010
【図９】
2005048341.tif 000011
【図１０】
2005048341.tif 000012
【図１１】
2005048341.tif 000013
【図１２】
2005048341.tif 000014
【図１３】
2005048341.tif 000015